(57)【特許請求の範囲】
【請求項１】
一対の野縁間に、前記野縁の長手方向に沿ってのびる間仕切り壁を固定するための施工方法であって、
前記一対の野縁間に、前記野縁間をその長手方向に連続してのびる面材からなる天井下地材を固定する工程と、
前記間仕切り壁の上部ランナーを、前記天井下地材の下面に固定する工程と、
前記固定された部分を除く前記天井下地材の下面に、天井材を固定する天井材固定工程と、
前記天井材固定工程の前又は後に行われ、かつ、前記上部ランナーに沿って、前記間仕切り壁を仕上げる間仕切り壁形成工程とを含み、
前記天井下地材の固定には、前記野縁に固定され、かつ、溝部を有する固定金物が用いられ、
前記固定金物は、前記溝部から前記野縁の側面に沿って上方にのび、かつ、前記側面に固定可能な上固着片を含み、
前記天井下地材を固定する工程は、前記固定金物の前記溝部に、前記天井下地材の側部を挿入することによって、前記天井下地材を前記固定金物に把持させる工程と、
前記固定金物に把持された前記天井下地材を、前記一対の野縁間に配置して、前記上固着片を前記野縁の前記側面に固定する工程とを含むことを特徴とする間仕切り壁の施工方法。
【請求項２】
前記上部ランナーを、耐火性材料からなる支持材を介して前記天井下地材の下面に固定し、
前記天井材固定工程では、前記支持材と連続するように前記支持材の両側に耐火性材料からなる前記天井材が配置される請求項１記載の間仕切り壁の施工方法。
【請求項３】
前記天井下地材は、前記上部ランナーの長手方向に連続する長さを有した面材からなる請求項１又は２記載の間仕切り壁の施工方法。
【請求項４】
一対の野縁間に、前記野縁の長手方向に沿ってのびる間仕切り壁を取り付けるための構造であって、
前記一対の野縁に固定された固定金物により、前記一対の野縁間で支持された天井下地材と、
耐火性材料からなる支持材を介して前記天井下地材の下面に固定された上部ランナーを含む間仕切り壁と、
前記支持材に連続するようにその両側に配された一対の耐火性材料からなる天井材とを含み、
前記固定金物は、前記天井下地材の側部が挿入されることによって、前記天井下地材を把持する溝部と、
前記溝部から前記野縁の側面に沿って上方にのび、かつ、前記天井下地材を把持したまま前記側面に固定される上固着片とを有することを特徴とする間仕切り壁の取付構造。
【発明の詳細な説明】
【技術分野】
【０００１】
本発明は、間仕切り壁を固定するための施工方法、及び、間仕切り壁の取付構造に関する。
【背景技術】
【０００２】
従来、一対の野縁間に、野縁の長手方向に沿ってのびる間仕切り壁を固定するための施工方法が提案されている（例えば、下記特許文献１参照）。例えば、従来の間仕切り壁の施工方法では、先ず、電気工事や給排水工事が終了した後に、天井材を野縁に固定する天井材固定工程が行われる。次に、天井材の下方に、間仕切り壁を形成する間仕切り壁形成工程が行われる。
【先行技術文献】
【特許文献】
【０００３】
【特許文献１】特開平１１−９３３０７号公報
【発明の概要】
【発明が解決しようとする課題】
【０００４】
上記のような施工方法では、電気工事や給排水工事が終了しないと、天井材固定工程を行うことができない。さらに、天井材固定工程が終了しないと、間仕切り壁形成工程を行うことができない。このように、間仕切り壁形成工程は、天井材固定工程を含む前工程の制約を受けるため、大工工事に手待ちが生じやすいという問題があった。
【０００５】
本発明は、以上のような実状に鑑み案出されたもので、施工性を向上しうる間仕切り壁の施工方法、及び、間仕切り壁の取付構造を提供することを主たる目的としている。
【課題を解決するための手段】
【０００６】
本発明は、一対の野縁間に、前記野縁の長手方向に沿ってのびる間仕切り壁を固定するための施工方法であって、前記一対の野縁間に、前記野縁間をその長手方向に連続してのびる面材からなる天井下地材を固定する工程と、前記間仕切り壁の上部ランナーを、前記天井下地材の下面に固定する工程と、前記固定された部分を除く前記天井下地材の下面に、天井材を固定する天井材固定工程と、前記天井材固定工程の前又は後に行われ、かつ、前記上部ランナーに沿って、前記間仕切り壁を仕上げる間仕切り壁形成工程とを含み、前記天井下地材の固定には、前記野縁に固定され、かつ、溝部を有する固定金物が用いられ、前記固定金物は、前記溝部から前記野縁の側面に沿って上方にのび、かつ、前記側面に固定可能な上固着片を含み、前記天井下地材を固定する工程は、前記固定金物の前記溝部に、前記天井下地材の側部を挿入することによって、前記天井下地材を前記固定金物に把持させる工程と、前記固定金物に把持された前記天井下地材を、前記一対の野縁間に配置して、前記上固着片を前記野縁の前記側面に固定する工程とを含むことを特徴とする。
【０００７】
本発明に係る前記間仕切り壁の施工方法において、前記上部ランナーを、耐火性材料からなる支持材を介して前記天井下地材の下面に固定し、前記天井材固定工程では、前記支持材と連続するように前記支持材の両側に耐火性材料からなる前記天井材が配置されるのが望ましい。
【０００８】
本発明に係る前記間仕切り壁の施工方法において、前記天井下地材は、前記上部ランナーの長手方向に連続する長さを有した面材からなるのが望ましい。
【０００９】
本発明は、一対の野縁間に、前記野縁の長手方向に沿ってのびる間仕切り壁を取り付けるための構造であって、前記一対の野縁に固定された固定金物により、前記一対の野縁間で支持された天井下地材と、耐火性材料からなる支持材を介して前記天井下地材の下面に固定された上部ランナーを含む間仕切り壁と、前記支持材に連続するようにその両側に配された一対の耐火性材料からなる天井材とを含み、前記固定金物は、前記天井下地材の側部が挿入されることによって、前記天井下地材を把持する溝部と、前記溝部から前記野縁の側面に沿って上方にのび、かつ、前記天井下地材を把持したまま前記側面に固定される上固着片とを有することを特徴とする。
【発明の効果】
【００１０】
請求項１記載の間仕切り壁の施工方法は、一対の野縁間に、野縁間をその長手方向に連続してのびる面材からなる天井下地材を固定する工程と、間仕切り壁の上部ランナーを、天井下地材の下面に固定する工程とを含んでいる。
【００１１】
さらに、請求項１記載の施工方法は、固定された部分を除く天井下地材の下面に、天井材を固定する天井材固定工程と、天井材固定工程の前又は後に行われ、かつ、上部ランナーに沿って、間仕切り壁を仕上げる間仕切り壁形成工程とを含んでいる。
【００１２】
このように、請求項１記載の施工方法は、天井材固定工程と間仕切り壁形成工程とが独立して行われうるため、大工工事に手待ちが生じるのを防ぐことができる。従って、請求項１記載の施工方法では、間仕切り壁の施工性が高められうる。
【００１３】
請求項４記載の間仕切り壁の取付構造は、一対の野縁間で支持された天井下地材と、耐火性材料からなる支持材を介して天井下地材の下面に固定された上部ランナーを含む間仕切り壁と、支持材に連続するようにその両側に配された一対の耐火性材料からなる天井材とを含んでいる。
【００１４】
このような請求項４記載の取付構造では、天井下地材と間仕切り壁との間において、耐火性材料からなる支持材及び天井材を連続させた防火ラインが形成されうる。従って、請求項４記載の取付構造は、建物の耐火性を高めることができる。
【図面の簡単な説明】
【００１５】
【図１】本実施形態の間仕切り壁の取付構造の断面図である。
【図２】図１の一部を分解して示す断面図である。
【図３】天井下地材を固定する工程を説明する斜視図である。
【図４】天井下地材に支持材を固定する工程を説明する斜視図である。
【図５】上部ランナーを固定する工程を説明する斜視図である。
【図６】天井材を配置する工程を説明する斜視図である。
【図７】スタッドを配置する工程を説明する斜視図である。
【図８】壁下地を固定する工程を説明する斜視図である。
【図９】間仕切り壁形成工程の後に天井材固定工程が行われる施工方法を説明する部分断面図である。
【発明を実施するための形態】
【００１６】
以下、本発明の実施の一形態が図面に基づき説明される。
図１は、本実施形態の間仕切り壁の取付構造（以下、単に「取付構造」ということがある。）の断面図である。図２は、図１の一部を分解して示す断面図である。本実施形態の取付構造は、一対の野縁２、２間に、野縁２の長手方向に沿ってのびる間仕切り壁４を固定するためのものである。このような取付構造は、例えば、住宅やビル等の建物に適用されうる。
【００１７】
本実施形態の取付構造は、天井下地材３と、間仕切り壁４と、天井材５とを含んで構成されている。図３は、天井下地材３を固定する工程を説明する斜視図である。図４は、天井下地材３に支持材を固定する工程を説明する斜視図である。
【００１８】
天井下地材３は、図１乃至図３に示されるように、一対の野縁２、２間に固定された面材によって構成されている。図３及び図４に示されるように、本実施形態の天井下地材３は、野縁２の長手方向に区分された複数の天井下地片３ａによって構成されている。複数の天井下地片３ａは、一対の野縁２、２間において、野縁２の長手方向に隙間なく配置されている。これらの天井下地片３ａにより、天井下地材３は、一対の野縁２、２間を、その長手方向に連続して配置されうる。
【００１９】
本実施形態の天井下地材３には、例えば、強度の高い構造用合板が用いられうるが、これに限定されるわけではない。また、天井下地材３の固定には、各野縁２、２に固定された固定金物７が用いられている。
【００２０】
固定金物７は、図２に示されるように、基部７ａ、下支持部７ｂ、上支持部７ｃ、上固着片７ｄ、及び、下固着片７ｅを含んで構成されている。本実施形態の固定金物７は、図３に示されるように、各野縁２、２において、天井下地材３の長手方向に沿って隔設されている。
【００２１】
基部７ａは、図２に示されるように、野縁２の側面２ｔに沿ってのびている。下支持部７ｂは、基部７ａの下端から天井下地材３の下面に沿ってのびている。上支持部７ｃは、基部７ａの上端から天井下地材３の上面に沿ってのびている。上固着片７ｄは、基部７ａの上端から野縁２の側面２ｔに沿って上方にのびている。下固着片７ｅは、基部７ａの下端から野縁２の下面２ｄに沿ってのびている。また、下支持部７ｂの下面と、下固着片７ｅの下面とは、同一の高さに設定されている。
【００２２】
固定金物７には、基部７ａ、下支持部７ｂ及び上支持部７ｃとで囲まれた溝部７ｇが形成されている。このような溝部７ｇに、天井下地材３の側部３ｔが挿入されることにより、天井下地材３が安定して把持されうる。上固着片７ｄは、野縁２の側面２ｔに当接している。下固着片７ｅは、野縁２の下面２ｄに当接している。上固着片７ｄ又は下固着片７ｅのいずれか一方、又は、双方が、野縁２に固着される。このような固定金物７により、一対の野縁２、２間に、天井下地材３が安定して支持されうる。
【００２３】
図１及び図２に示されるように、間仕切り壁４は、上部ランナー１１、下部ランナー１２、スタッド１３、及び、壁下地１４を含んで構成されている。
【００２４】
上部ランナー１１は、野縁２の長手方向に沿って連続してのびている。本実施形態の上部ランナー１１は、天井下地材３の下面に沿って水平にのびるウエブ１１ａ、及び、ウエブ１１ａの両端から下方にのびる一対のフランジ１１ｂ、１１ｂを含んでいる。これにより、上部ランナー１１は、ウエブ１１ａと一対のフランジ１１ｂ、１１ｂとで囲まれた溝部１１ｇを有する断面略溝型状に形成されている。
【００２５】
本実施形態の上部ランナー１１は、支持材１６を介して、天井下地材３の下面に固定されている。上部ランナー１１の固定には、例えば、溝部１１ｇ側から打ち込まれるビス等の固着具が用いられる。
【００２６】
図２に示されるように、本実施形態の支持材１６は、上部ランナー１１と同様に、野縁２の長手方向に沿って連続してのびている。また、支持材１６は、天井下地材３の下面と、上部ランナー１１のウエブ１１ａの上面との間に配置されている。本実施形態では、支持材１６の幅Ｗ１と、上部ランナー１１のウエブ１１ａの幅Ｗ２とが、同一長さに設定されている。
【００２７】
図４に示されるように、本実施形態の支持材１６は、野縁２の長手方向に区分された複数の支持片１６ａによって構成されている。複数の支持片１６ａは、野縁２の長手方向に隙間なく配置されている。これらの支持片１６ａにより、支持材１６は、上部ランナー１１の長手方向に連続して配置されうる。これにより、支持材１６は、野縁２の長手方向において、天井下地材３と上部ランナー１１との間に隙間なく配置されうる。
【００２８】
本実施形態の支持材１６は、耐火性材料によって形成されている。耐火性材料としては、適宜選択することができる。本実施形態では、例えば、加工容易性、防音性能、及び、耐火性能に優れる石膏ボード、木毛セメント板、又は、ロックウールボード等が用いられるのが望ましい。
【００２９】
図１に示されるように、下部ランナー１２は、上部ランナー１１の長手方向に沿って、連続してのびている。本実施形態の下部ランナー１２は、床材１８の上面に沿って水平にのびるウエブ１２ａ、及び、ウエブ１２ａの両端から上方にのびる一対のフランジ１２ｂ、１２ｂを含んでいる。これにより、下部ランナー１２は、ウエブ１２ａと一対のフランジ１２ｂ、１２ｂとで囲まれた溝部１２ｇを有する断面略溝型状に形成されている。下部ランナー１２は、床材１８の上面に固定されている。下部ランナー１２の固定には、例えば、溝部１２ｇ側から打ち込まれるビス等の固着具が用いられるのが望ましい。
【００３０】
本実施形態のスタッド１３は、上部ランナー１１と下部ランナー１２との間を、上下方向にのびている。スタッド１３の上端部は、上部ランナー１１の溝部１１ｇ内で固定されている。また、スタッド１３の下端部は、下部ランナー１２の溝部１２ｇ内で固定されている。これにより、上部ランナー１１、下部ランナー１２及びスタッド１３は、壁下地１４を支持する枠体として形成される。本実施形態のスタッド１３は、例えば、断面角パイプ状に形成されているが、これに限定されるわけではない。
【００３１】
図１及び図２に示されるように、本実施形態の壁下地１４は、例えば、側面視において矩形状に形成された面材として構成されている。壁下地１４は、上部ランナー１１、下部ランナー１２及びスタッド１３の両側に配置されている。図１に示されるように、壁下地１４の上端と、上部ランナー１１の上端とは、略同一の高さに設定されている。壁下地１４の下端と、下部ランナー１２の下端とは、略同一の高さに設定されている。このような壁下地１４により、間仕切り壁４の側面において、上部ランナー１１、下部ランナー１２及びスタッド１３が覆われうる。壁下地１４としては、例えば、石膏ボード、木毛セメント板、又は、ロックウールボード等が用いられるのが望ましい。また、壁下地１４の固定には、例えば、ビス等の固着具が用いられる。
【００３２】
このように、上部ランナー１１、下部ランナー１２、スタッド１３、及び、壁下地１４が固定されることにより、間仕切り壁４が形成される。上部ランナー１１、下部ランナー１２、スタッド１３、及び、壁下地１４で囲まれる空間１５には、例えば、断熱材等が配置されてもよい。
【００３３】
図１に示されるように、天井材５は、例えば、野縁２の下面及び天井下地材３の下面に沿って水平にのびる面材として構成されている。本実施形態の天井材５は、上部ランナー１１が固定された部分を除いた天井下地材３の下面に、固定金物７を介して固定されている。図２に示されるように、本実施形態の固定金物７は、下支持部７ｂの下面と下固着片７ｅの下面とが、同一の高さに設定されている。このような下支持部７ｂの下面及び下固着片７ｅの下面に、天井材５の上面が当接されることにより、天井材５が水平に維持された状態で固定されうる。
【００３４】
図１に示されるように、本実施形態の天井材５は、支持材１６の両側に配置されている。さらに、天井材５の幅方向の端部と、支持材１６の幅方向の端部とが、互いに当接している。これにより、本実施形態の取付構造では、天井下地材３と間仕切り壁４との間において、天井材５及び支持材１６が、水平方向で連続して配置される。また、本実施形態の天井材５は、耐火性材料によって形成されている。耐火性材料としては、適宜選択されうるが、支持材１６と同様のものが採用されるのが望ましい。
【００３５】
このように、本実施形態の取付構造では、天井下地材３と間仕切り壁４との間において、耐火性材料からなる天井材５及び支持材１６を連続させた防火ラインが形成されうる。このような天井面で切れ目のない防火ラインにより、上部ランナー１１から天井裏への延焼が、効果的に防止されうるため、建物の耐火性が向上されうる。
【００３６】
しかも、本実施形態の支持材１６は、野縁２の長手方向において、天井下地材３と上部ランナー１１との間に隙間なく配置されている。このため、上部ランナー１１から天井裏への延焼が、さらに効果的に防がれうる。
【００３７】
本実施形態の取付構造では、天井下地材３が、上部ランナー１１の長手方向に連続する長さを有している。さらに、天井下地材３は、支持材１６の長手方向に連続する長さを有している。ここで、「連続する長さ」とは、例えば、天井下地材３が、上部ランナー１１の長手方向に連続して配置された複数の天井下地片３ａによって構成されている場合は、天井下地片３ａの合計長さを意味している。同様に、支持材１６が、複数の支持片１６ａによって構成されている場合は、支持片１６ａの合計長さを意味している。このような天井下地材３により、上部ランナー１１が、支持材１６を介して、天井下地材３に強固に支持されうる。従って、本実施形態の取付構造では、間仕切り壁４の耐久性が向上しうる。
【００３８】
図１及び図３に示されるように、天井材５の上方には、天井下地材３が、野縁２の長手方向に連続して配置されている。このような天井下地材３は、照明等の取付下地として利用されうる。従って、本実施形態の取付構造では、天井材５に取付下地を別途設けることなく、野縁２、２間の長手方向において、照明等が自由に取り付けられうる。
【００３９】
また、壁下地１４は、天井材５及び支持材１６と同様に、耐火性材料によって形成されるのが望ましい。これにより、間仕切り壁４で区切られた部屋への延焼を、効果的に防ぐことができる。さらに、壁下地１４の上端と、天井材５の下面とが当接されるのが望ましい。これにより、天井材５及び壁下地１４を入隅状に連続させることができるため、建物の耐火性がさらに向上されうる。
【００４０】
次に、本実施形態の間仕切り壁４を、一対の野縁２、２間に取り付けるための施工方法（以下、単に「施工方法」ということがある。）について説明する。
【００４１】
図３に示されるように、本実施形態の施工方法では、先ず、建物の梁２１に、複数本の野縁２が固定される（工程Ｓ１）。本実施形態の野縁２は、梁２１の長手方向に沿って隔設されている。また、野縁２の長手方向と、梁２１の長手方向とは、互いに直交してのびている。野縁２は、隣接する梁２１、２１を跨って固定されている。
【００４２】
野縁２と梁２１との固着には、従来と同様に、梁２１の下方に固着された長尺の野縁受２２、及び、野縁受２２と野縁２とを固定する固定金物２３とが用いられている。このような野縁受２２及び固定金物２３により、各野縁２が、梁２１に強固に固定されうる。
【００４３】
次に、本実施形態の施工方法では、一対の野縁２、２間に、天井下地材３が固定される（工程Ｓ２）。工程Ｓ２では、先ず、図２に示されるように、天井下地片３ａの各側部３ｔ、３ｔに、固定金物７が取り付けられる。固定金物７の取り付けは、固定金物７の溝部７ｇに、天井下地片３ａの各側部３ｔ、３ｔが挿入されることによって行われうる。
【００４４】
次に、工程Ｓ２では、図２及び図３に示されるように、一対の野縁２、２間に、固定金物７が取り付けられた天井下地片３ａが配置される。そして、上固着片７ｄ又は下固着片７ｅのいずれか一方、又は、双方が、野縁２に固定される。図４に示されるように、本実施形態では、複数の天井下地片３ａが、野縁２の長手方向に隙間なく配置されている。これにより、一対の野縁２、２間を、その長手方向に連続して配置された天井下地材３が形成されうる。この天井下地材３は、上部ランナー１１の長手方向に連続する長さを有している。
【００４５】
次に、本実施形態の施工方法では、間仕切り壁４の上部ランナー１１が、天井下地材３の下面に固定される（工程Ｓ３）。図２に示されるように、本実施形態の工程Ｓ３では、上部ランナー１１が、支持材１６を介して、天井下地材３の下面に固定される。
【００４６】
図２及び図４に示されるように、工程Ｓ３では、先ず、天井下地材３の下面に、複数の支持片１６ａが固定される。複数の支持片１６ａは、野縁２の長手方向に隙間なく配置されている。これらの支持片１６ａにより、上部ランナー１１の長手方向に連続する支持材１６が形成される。
【００４７】
また、各支持片１６ａは、野縁２の長手方向で隣り合う天井下地片３ａ、３ａの境界３ｂを跨って配置されるのが望ましい。このような支持片１６ａにより、隣り合う天井下地材３、３が強固に連結されうるため、天井下地材３の強度が高められうる。
【００４８】
図５は、上部ランナー１１を固定する工程を説明する拡大斜視図である。次に、工程Ｓ３では、上部ランナー１１が、支持材１６の下面に取り付けられる。本実施形態の上部ランナー１１は、支持材１６の下面に隙間なく取り付けられうる。
【００４９】
上述したように、本実施形態の天井下地材３は、上部ランナー１１の長手方向に連続する長さを有している。さらに、天井下地材３は、支持材１６の長手方向に連続する長さを有している。このような天井下地材３により、上部ランナー１１は、支持材１６を介して、天井下地材３に強固に固定されうる。
【００５０】
次に、本実施形態の施工方法では、天井材固定工程Ｓ４及び間仕切り壁形成工程Ｓ５が行われる。間仕切り壁形成工程Ｓ５は、天井材固定工程Ｓ４の前又は後に行われる。ここでは、天井材固定工程Ｓ４の後に、間仕切り壁形成工程Ｓ５が行われる態様が説明される。
【００５１】
図６は、天井材５を配置する工程を説明する斜視図である。天井材固定工程Ｓ４は、先ず、上部ランナー１１が固定された部分を除く天井下地材３の下面に沿って、天井材５が配置される。図２に示されるように、本実施形態の固定金物７は、下支持部７ｂの下面と下固着片７ｅの下面とが、同一の高さに設定されている。図１に示されるように、下支持部７ｂの下面及び下固着片７ｅの下面に、天井材５の上面が当接されることにより、天井材５が水平に維持されうる。
【００５２】
図１及び図６に示されるように、天井材固定工程Ｓ４では、支持材１６と連続するように、支持材１６の両側に天井材５が配置されている。本実施形態では、天井材５の端部と支持材１６の端部とが互いに当接するように、天井材５が、支持材１６の両側に配置されている。上述したように、天井材５及び支持材１６は、耐火性材料によって構成されている。このため、施工方法では、天井下地材３と間仕切り壁４との間において、天井材５及び支持材１６を連続させた防火ラインが形成されうる。このような天井面で切れ目のない防火ラインにより、上部ランナー１１から天井裏への延焼が防がれうる。
【００５３】
次に、図１及び図２に示されるように、間仕切り壁形成工程Ｓ５は、上部ランナー１１に沿って、間仕切り壁４が仕上げられる。本実施形態の間仕切り壁形成工程Ｓ５では、先ず、下部ランナー１２が、床材１８に固定される。下部ランナー１２は、上部ランナー１１の長手方向に沿って、連続してのびている。
【００５４】
次に、間仕切り壁形成工程Ｓ５では、上部ランナー１１と下部ランナー１２との間に、スタッド１３が固定される。図７は、スタッド１３を配置する工程を説明する斜視図である。
【００５５】
スタッド１３の上端部は、上部ランナー１１の溝部１１ｇに挿入される。スタッド１３の下端部は、下部ランナー１２の溝部１２ｇ（図１に示す）に挿入される。そして、スタッド１３の上端部及び下端部が、上部ランナー１１及び下部ランナー１２にそれぞれ固定される。スタッド１３は、上部ランナー１１の長手方向に沿って隔設されている。
【００５６】
図８は、壁下地１４を固定する工程を説明する斜視図である。次に、間仕切り壁形成工程Ｓ５では、図１及び図８に示されるように、上部ランナー１１、下部ランナー１２及びスタッド１３の両側に、壁下地１４が固定される。これにより、上部ランナー１１、下部ランナー１２、スタッド１３、及び、壁下地１４を含む間仕切り壁４が形成されうる。なお、上部ランナー１１、下部ランナー１２、スタッド１３、及び、壁下地１４で囲まれる空間１５（図１に示す）には、断熱材が配置されるのが望ましい。
【００５７】
このように、天井材固定工程Ｓ４及び間仕切り壁形成工程Ｓ５が順次行われることにより、一対の野縁２、２間に、間仕切り壁４が固定されうる。
【００５８】
本実施形態の施工方法では、図２及び図５に示されるように、天井材固定工程Ｓ４及び間仕切り壁形成工程Ｓ５に先立ち、上部ランナー１１が、天井下地材３の下面に固定されている。上述したように、天井材５は、上部ランナー１１が固定された部分を除く天井下地材３の下面に固定されている。他方、間仕切り壁４は、上部ランナー１１に沿って仕上げられる。従って、天井材固定工程Ｓ４の前に、間仕切り壁形成工程Ｓ５が行われたとしても、天井材５及び間仕切り壁４が、それぞれ独立して形成されうる。
【００５９】
このように、本実施形態の施工方法では、天井材５の下方に上部ランナー１１を固定して、間仕切り壁４を形成する従来の方法とは異なり、天井材固定工程Ｓ４と間仕切り壁形成工程Ｓ５とが独立して行われうる。従って、本実施形態の施工方法では、例えば、電気工事や給排水工事の遅れにより、天井材固定工程Ｓ４が遅延しても、間仕切り壁形成工程Ｓ５が先に行われうるため、大工工事に手待ちが生じるのを防ぐことができる。従って、本実施形態の施工方法では、間仕切り壁４の施工性が高められうる。
【００６０】
図９は、間仕切り壁形成工程Ｓ５の後に天井材固定工程Ｓ４が行われる施工方法を説明する部分断面図である。なお、間仕切り壁形成工程Ｓ５の後に天井材固定工程Ｓ４が行われる場合は、先の間仕切り壁形成工程Ｓ５において、天井下地材３と、支持材１６との入隅部２４に隙間２５が形成されるように、壁下地１４が固着されるのが望ましい。これにより、後の天井材固定工程Ｓ４では、天井材５の端部を、隙間２５に挿入させることができるため、天井下地材３と間仕切り壁４との間において、耐火性材料からなる天井材５及び支持材１６を、確実に連続させることができる。従って、この実施形態の施工方法においても、天井面で切れ目のない防火ラインが確実に形成されうる。
【００６１】
以上、本発明の特に好ましい実施形態について詳述したが、本発明は図示の実施形態に限定されることなく、種々の態様に変形して実施しうる。
【符号の説明】
【００６２】
２      野縁
３      天井下地材
４      間仕切り壁
５      天井材
１１      上部ランナー
【図１】
0006483988.tif 000002
【図２】
0006483988.tif 000003
【図３】
0006483988.tif 000004
【図４】
0006483988.tif 000005
【図５】
0006483988.tif 000006
【図６】
0006483988.tif 000007
【図７】
0006483988.tif 000008
【図８】
0006483988.tif 000009
【図９】
0006483988.tif 000010